(57)【要約】【課題】カードコネクタにおいて、操作レバーを押込み方向に操作した場合でも引込み方向に操作した場合でも、カバーの閉位置でのロック状態を解除することができるという双方向操作性を備えさせる。【解決手段】カバー３開動方向に弾発付勢するばね力に抗して閉じられたときに、カバー３を閉位置に位置決めするロック手段と、そのロック手段を解除するロック解除手段とを備える。ロック手段が、カバー３側の被係合部とボディ１側の係合部材５とを備える。ロック解除手段が操作レバー７とカム機構８とを備える。カム機構８が谷形の第１カム面８１と山形の第２カム面８７とを有する。係合部材５を付勢するばね体５５を有する。【選択図】        図４
2004192841.tif 000002
【特許請求の範囲】
【請求項１】
ボディに横軸周りに開閉動可能に連結されてカードが着脱されるカバーが、開動方向に弾発付勢するばね力に抗して閉じられたときにそのカバーに装着されているカードの電極が上記ボディに設けられたコンタクトに接触するようになっていると共に、そのカバーを閉位置に位置決めするロック手段を備え、そのロック手段によるカバーの閉位置での位置決め状態を解除するロック解除手段が、上記ボディに取り付けられた押引き可能な操作レバーを有するカードコネクタにおいて、
上記ロック手段が、上記カバーに設けられた被係合部と、上記ボディに取り付けられてばね力で付勢されることにより上記被係合部に係合される係合部材とを備え、
上記ロック解除手段が、上記操作レバーと、この操作レバーが中立位置から押込み及び引出しのいずれの方向に操作されたときにも上記係合部材をばね力に抗して上記被係合部から離脱させるカム機構とを備え、かつ、そのカム機構は、上記係合部材を付勢しているばね力によって上記操作レバーを中立位置に向けて付勢する機能を備えていることを特徴とするカードコネクタ。
【請求項２】
上記カム機構が、上記操作レバーと上記係合部材とに各別に振り分けて具備されかつその操作レバーの中立位置で互いに嵌合する谷形の第１カム面と山形の第２カム面とを有していると共に、第１カム面が、上記操作レバーの中立位置で互いに嵌合している状態から上記操作レバーの押込み方向及び引出し方向に相対移動したときに、上記第２カム面が第１カム面と摺動して上記被係合部に対する上記係合部材の離脱方向に相対移動して上記係合部材をばね力に抗して上記被係合部から離脱させるようになっている請求項１に記載したカードコネクタ。
【請求項３】
第１カム面及び第２カム面のそれぞれは、上記被係合部に対する上記係合部材の離脱方向に延びる仮想直線に対する勾配が等しい２つの傾斜面を備え、かつ、上記操作レバーの中立位置で互いに嵌合している状態では第１カム面の２つの傾斜面と第２カム面の２つの傾斜面とが重なり合うようになっている請求項２に記載したカードコネクタ。
【請求項４】
第１カム面及び第２カム面のそれぞれは、上記被係合部に対する上記係合部材の離脱方向に延びる仮想直線に対する勾配が異なる２つの傾斜面を備え、かつ、上記操作レバーの中立位置で互いに嵌合している状態では第１カム面の２つの傾斜面と第２カム面の２つの傾斜面とが重なり合うようになっている請求項２に記載したカードコネクタ。
【請求項５】
上記第１カム面が上記ボディの内部に配備された上記操作レバーのレバー主部に設けられていると共に、そのレバー主部の第１カム面形成箇所に、第１カム面の２つの傾斜面の相互間に亘る板状梁部と、その板片部と第１カム面の２つの傾斜面とによって囲まれた凹所とが備わり、上記係合部材に具備された上記第２カム面が、少なくとも上記操作レバーが中立位置に位置しているときに上記凹所に収容されるようになっている請求項３又は請求項４に記載したカードコネクタ。
【発明の詳細な説明】
【０００１】
【発明の属する技術分野】
本発明は、カードコネクタ、特に、カードを装着したカバーのボディに対するロック状態の解除が、ボディに取り付けられた押引き可能な操作レバーの操作を通じて行われるようになっているカードコネクタに関する。
【０００２】
【従来の技術】
従来、ボディに横軸周りに開閉動可能に連結されたカバーにカードが着脱可能であり、カードが装着されたカバーをその閉位置で位置決めするロック手段を備え、そのロック手段の解除が、ボディに取り付けた操作レバーの押込み操作を通じて行われるものがあり、このものは、操作レバーがボディの側部で前後に押引き移動するようになっている（特許文献１参照）。
【０００３】
また、本願出願人が特願２００２−１７５６５６号公報によって先に提案したカードコネクタでは、ボディを横切る方向に操作レバーが配備されていて、その操作レバーの押込み操作によって、ロック手段により閉位置で位置決めされたカバーの位置決め状態が解除されるようになっている。
【０００４】
これらのように従来例や本願出願人による先行出願に係るカードコネクタでは、カバーの閉位置でのロック状態を解除するのに、操作レバーを一方向に移動させることが不可欠であったため、ロック状態を解除するときの操作レバーの操作方向についての選択権がユーザになく、ユーザはメーカ側が決定した操作レバーの操作方向に従わざるを得なかった。
【０００５】
【特許文献１】
実開平５−４３４８２号公報
【０００６】
【発明が解決しようとする課題】
しかしながら、ポータブルＭＤなどに用いられる小形カードコネクタでは、カバーの閉位置でのロック状態を解除するときの操作レバーの操作方向がメーカ側で決定されてしまっていると、そのことがユーザにとっての使い勝手を低下させていることがある。また、ユーザ自身がカバーの閉位置でのロック状態を解除するときの操作レバーの操作方向を好みによって押込み方向や引出し方向に変更したいという場合もある。
【０００７】
本考案は以上の状況の下でなされたものであり、操作レバーを押込み方向に操作した場合でも引込み方向に操作した場合でも、カバーの閉位置でのロック状態を解除することのできるという双方向操作性を備えたカードコネクタを提供することを目的とする。
【０００８】
また、本考案は、本願出願人による先行出願に係るカードコネクタに比べてその部品点数を増加させずに上記双方向操作性を備えたカードコネクタを提供することを目的とする。
【０００９】
【課題を解決するための手段】
本発明に係るカードコネクタは、ボディに横軸周りに開閉動可能に連結されてカードが着脱されるカバーが、開動方向に弾発付勢するばね力に抗して閉じられたときにそのカバーに装着されているカードの電極が上記ボディに設けられたコンタクトに接触するようになっていると共に、そのカバーを閉位置に位置決めするロック手段を備え、そのロック手段によるカバーの閉位置での位置決め状態を解除するロック解除手段が、上記ボディに取り付けられた押引き可能な操作レバーを有する。この構成であれば、カードを装着したカバーを閉じると、そのカバーがロック手段によって閉位置に位置決めされるため、カードの電極がボディ側のコンタクトに接触して両者が電気的接続される。また、ロック解除手段の操作レバーを操作することによってロック手段によるカバーの閉位置での位置決め状態を解除すると、カバーがそれを開動方向に弾発付勢しているばね力によって開き、カバーからカードを排出することが可能になる。
【００１０】
本発明では、上記ロック手段が、上記カバーに設けられた被係合部と、上記ボディに取り付けられてばね力で付勢されることにより上記被係合部に係合される係合部材とを備え、上記ロック解除手段が、上記操作レバーと、この操作レバーが中立位置から押込み及び引出しのいずれの方向に操作されたときにも上記係合部材をばね力に抗して上記被係合部から離脱させるカム機構とを備え、かつ、そのカム機構は、上記係合部材を付勢しているばね力によって上記操作レバーを中立位置に向けて付勢する機能を備えている。
【００１１】
この構成であれば、操作レバーに押込み及び引出し方向のいずれの方向の操作力も加わっていないときには、係合部材を付勢しているばね力により操作レバーがカム機構を介して中立位置に保持されている。そして、操作レバーが中立位置から押込み及び引出しのいずれかの方向に操作されると、カム機構が係合部材をばね力に抗して被係合部から離脱させる。このため、操作レバーを押込み方向に操作した場合でも引込み方向に操作した場合でも、カバーの閉位置でのロック状態が解除されるという双方向操作性が発揮される。
【００１２】
本発明では、上記カム機構が、上記操作レバーと上記係合部材とに各別に振り分けて具備されかつその操作レバーの中立位置で互いに嵌合する谷形の第１カム面と山形の第２カム面とを有していると共に、第１カム面が、上記操作レバーの中立位置で互いに嵌合している状態から上記操作レバーの押込み方向及び引出し方向に相対移動したときに、上記第２カム面が第１カム面と摺動して上記被係合部に対する上記係合部材の離脱方向に相対移動して上記係合部材をばね力に抗して上記被係合部から離脱させるようになっていることが望ましい。この構成であれば、谷形の第１カム面と山形の第２カム面とを操作レバーと係合部材とに各別に振り分けて具備させておくだけの簡単な構成で上記した操作レバーの双方向操作性が得られるようになる。
【００１３】
本発明において、第１カム面及び第２カム面のそれぞれは、上記被係合部に対する上記係合部材の離脱方向に延びる仮想直線に対する勾配が等しい２つの傾斜面（対称傾斜面という）を備えていても、上記被係合部に対する上記係合部材の離脱方向に延びる仮想直線に対する勾配が異なる２つの傾斜面（非対称傾斜面）を備えていてもよい。これらの場合、上記操作レバーの中立位置で互いに嵌合している状態では第１カム面の２つの傾斜面と第２カム面の２つの傾斜面とが重なり合うようになっているという構成を採用することが可能である。
【００１４】
そして、操作レバーの中立位置で互いに嵌合している状態での第１カム面の２つの傾斜面と第２カム面の２つの傾斜面との関係を上記のような重なり合う関係に規定しておくと、第１カム面及び第２カム面が対称傾斜面である場合には、操作レバーが押込み方向に操作された場合と引出し方向に操作された場合とで係合部材の移動幅が同一になるのに対し、第１カム面及び第２カム面が非対称傾斜面である場合には、操作レバーが押込み方向に操作された場合と引出し方向に操作された場合とで係合部材の移動幅が異なる。このことにより、閉位置で位置決めされたカバーのロック状態を解除するときの操作レバーの押込みストロークと引出しストロークとを同じストロークにしたりそれらを異なるストロークにしたりしてロック解除のタイミングを変更することが可能になる。
【００１５】
本発明では、上記第１カム面が上記ボディの内部に配備された上記操作レバーのレバー主部に設けられていると共に、そのレバー主部の第１カム面形成箇所に、第１カム面の２つの傾斜面の相互間に亘る板状梁部と、その板片部と第１カム面の２つの傾斜面とによって囲まれた凹所とが備わり、上記係合部材に具備された上記第２カム面が、少なくとも上記操作レバーが中立位置に位置しているときに上記凹所に収容されるようになっているという構成を採用することが望ましい。この構成であれば、当該カードコネクタの小形化によってレバー主部を備えた操作レバーの小形化が図られ、しかも、谷形の第１カム面がそのような小形の操作レバーのレバー主部に設けられているとしても、レバー主部の第１カム面形成箇所が板状梁部によって補強されるために、レバー主部が第１カム面の形成箇所で折損したり折れ曲がったりするおそれがなくなる。併せて、第１カム面の２つの傾斜面を非連続に形成した場合でも、それら２つの傾斜面をレバー主部の１箇所に形成することができて第１カム面の１部品化による部品のコンパクト化を達成しやすくなる。
【００１６】
【発明の実施の形態】
図１は本発明に係るカードコネクタの概略部分側面図、図２は同カードコネクタのカバー３の要部と係合部材５とを示した分解斜視図、図３は操作レバー７の平面図、図４は作用説明図、図５は他の状態での作用説明図、図６は図４のＶＩ−ＶＩ線に沿う部分の拡大断面図、図７はカバー３を閉動させている状態を一部破断して示した説明図、図８はカバー３が閉位置で位置決めされた状態を一部破断して示した説明図である。
【００１７】
図１のように、このカードコネクタでは、偏平なボディ１に具備された横軸１２にカバー３の前端部をその軸孔３１を介して回動可能に連結してあり、横軸１２を支点としてカバー３が矢印Ａのように開閉動可能になっている。また、ボディ１には、開扉用ばね１３が備わっていて、カバー３を図１の仮想線のように閉じたときには、そのばね１３が撓んでカバー３を開動方向に弾発付勢するようになっている。さらに、カバー３の開動は、そのカバー３の前端３２がボディ１に備わっている受部１４に当たることによって規制されるようになっている。
【００１８】
図２のように、カバー３の左右両側に、図示していないカードを装着する際に用いられるガイド溝３２が備わっていて、このガイド溝３２にカードを挿入することによってそのカードをカバー３に装着すると、そのカードがカバー３に重なり状に配備され、しかも、カバー３を閉じると、そのカードに備わっている電極（不図示）がボディ１に設けられたコンタクト（不図示）に弾接して両者が電気的接続される。
【００１９】
カバー３において、左右のガイド溝３２，３２のそれぞれの外側に被係合部としての孔部３３，３３が備わり、それらの孔部３３，３３の下側に湾曲した摺動面３４，３４が備わっている。図２において、５は係合部材で、この係合部材５は、長い帯状の板金材をコ字形に折り曲げることにより形成されていて、その両端部で前向きに突出された左右の突片部５１，５１の先端面が湾曲した摺動面５２，５２として形成されて上記してカバー３側の摺動面３４，３４に対応している。
【００２０】
図４〜図６のように、ボディ１の前端部には、前壁１４とこの前壁１４に平行で前壁１４よりも背低のリブ状の仕切り壁１５とが備わり、それらの前壁１４と仕切り壁１５との間に、上記係合部材５の横行部５３と、この横行部５３の前側に位置する操作レバー７のレバー主部７１と、横行部５３の後側に位置するばね体５５とが配備されている。上記レバー主部７１はボディ１の内部を横切る方向に延びる横長形状に形成されていて、その一端がボディ１の片側の側壁１６に具備された挿通孔１６ａに挿通されてボディ１の側方に突出されていて、その突出部分に把手１７が設けられている。また、この操作レバー７の横行ストロークを規制するストッパ１８，１９がボディ１側に設けられていて、操作レバー７が押し込まれたときには左側のストッパ１８にレバー主部７１が突き当たってその押込み限界位置が規制されるのに対し、操作レバー７が引き出されたときには右側のストッパ１９にレバー主部７１が突き当たってその引出し限界位置が規制されるようになっている。上記ばね体５５は、係合部材５の横行部５３を左右対称位置で前方に常時弾発付勢している。そして、図４又は図７で判るように、カバー３が開いているときには、ばね体５５によって前方へ弾発付勢された係合部材５の突片部５１が上記仕切り壁１５の前側に突き出ていて、その突片部５１の摺動面５２が、カバー３側の摺動面３４に対向している。したがって、図７の矢印Ｃのようにカバー３を閉じていくと、その途中でカバー３側の摺動面３４が同図のように突片部５１の摺動面５２に当り、その後、摺動面３４が突片部５１を押して係合部材５をばね体５５の付勢に抗して後退させながら突片部５１を乗り越える。こうして摺動面３４が突片部５１を乗り越えると、図８のように、ばね体５５の付勢によって係合部材５の突片部５１がカバー３側の孔部３３に嵌まり込んでその突片部５１がカバー３の閉位置に位置決めする。これがロック状態である。このことより、カバー３側の孔部３３によって形成されている被係合部と、ばね体５５と、係合部材５とによって、カバー３を閉位置に位置決めするロック手段が形成されている。
【００２１】
次に、ロック手段によるカバー３の閉位置での位置決め状態を解除するためのロック解除手段について説明する。
【００２２】
ロック解除手段は、上記操作レバー７とカム機構８とを備えている。図３〜図５に示したように、カム機構８は、操作レバー７のレバー主部７１に設けられた谷形の第１カム面８１と、係合部材５側に具備された山形の第２カム面８７とを備えている。図３で判るように、第１カム面８１は、分断されて非連続の左右一対の平坦な傾斜面８１ａ，８１ｂでなる。そして、レバー主部７１の第１カム面形成箇所に、第１カム面８１の２つの傾斜面８１ａ，８１ｂの相互間に亘る板状梁部７２と、その板状梁部７２と第１カム面８１の２つの傾斜面８１ａ，８１ｂとによって囲まれた凹所７３とが備わっている。すなわち、細長帯状に形成されているレバー主部７１の第１カム面形成箇所では、レバー主部７１の長手方向中央部付近が凹入形状に形成されていて、その凹入形状に形成された空間の前壁面が左右２つの傾斜面８１ａ，８１ｂとされ、しかも、その空間を形作っている底壁部分が上記板状梁部７２となっている。これに対し、第２カム面８７は、係合部材５の横行部５３の中央部に具備された合成樹脂製のカム体８８の山形の前端面により形成されていて、その頂部を境にして左右２つに区画された平坦な傾斜面８７ａ，８７ｂでなる。また、このカム体８８は、傾斜面８７ａ，８７ｂの形成箇所に図６に示した段付状の凹入部８９を有し、この凹入部８９に、上記レバー主部７１の板状梁部７２を収容している。
【００２３】
そして、第１カム面８１の２つの傾斜面８１ａ，８１ｂは、前後方向の仮想直線Ｌに対する勾配、すなわちカバー３側の被係合部としての孔部３３（図２、図７、図８参照）に対する係合部材５の突片部５１の離脱方向Ａ（図５参照）に延びる仮想直線Ｌに対する勾配θ１，θ２が等しくなっている。同様に、第２カム面８７の２つの傾斜面８７ａ，８７ｂも上記仮想直線Ｌに対する勾配θ３，θ４が等しくなっていて、しかも、それらの勾配θ３，θ４のそれぞれは、第１カム面８１の２つの傾斜面８１ａ，８１ｂの上記勾配θ１，θ２とそれぞれ等しくなっている。さらに、上記各勾配θ１，θ２，θ３，θ４は、山形の第２カム面８７が谷形の第１カム面８１に嵌合し、ばね体５５の弾発付勢力で係合部材５が前方に付勢されていて、操作レバー７に操作力が加わっていない状態では、ばね体５５によって付勢されている第２カム面８７が第１カム面８１を押し付けて第２カム面８７の２つの傾斜面８７ａ，８７ｂが第１カム面８１の２つの傾斜面８１ａ，８１ｂに重なり合うようになっている。そして、このときに操作レバー７が中立位置に保持される。
【００２４】
以上の構成を備えたカードコネクタにおいて、図８のようにカバー３が閉位置で位置決めされてロック状態になっているときに、たとえば図５の矢印Ｐのように把手１７を介して操作レバー７が横に引き出されると、第１カム面８１の左側の傾斜面８１ａが第２カム面８７の左側の傾斜面８７ａとスライドしてカム体８８を前方へ押すので、そのカム体８８と共に係合部材５がばね体５５の付勢に抗して前方へ移動し、それに伴って突出部５１がカバー３側の孔部３３から離脱してロック状態が解除される。こうしてロック状態が解除されると、図１で説明した開閉用ばね１３の付勢によってカバー３が跳ね上がって開くので、そのカバー３に装着されているカードを抜き出して排出することができる。図示していないけれども、図８のロック状態から、たとえば把手１７を介して操作レバー７が横に押し込まれると、第１カム面８１の右側の傾斜面８１ｂが第２カム面８７の右側の傾斜面８７ｂとスライドしてカム体８８を前方へ押すので、上記と同様の動作が行われてロック状態が解除されることになり、開閉用ばね１３の付勢によってカバー３が開いてそのカバー３に装着されているカードを抜き出して排出することができるようになる。なお、操作レバー７の押込み方向のストロークはストッパ１８によって規制され、引出し方向のストロークはストッパ１９によって規制されるので、操作レバー７の押引き操作時にその操作レバー７が係合部材５の突片部５１に突き当たったりすることが防止される。
【００２５】
この実施形態では、上記した勾配θ１とθ２とを等しくして第１カム面８１の左右２つの傾斜面８１ａ，８１ｂを対称形状にし、かつ、上記した勾配θ３とθ４とを等しくして第２カム面８７の左右２つの傾斜面８７ａ，８７ｂを対称形状に形成し、操作レバー７の中立位置で互いに嵌合している第１カム面８１の２つの傾斜面８１ａ，８１ｂと第２カム面８７の２つの傾斜面８７ａ，８７ｂとの関係を互いに重なり合う関係に規定しているので、操作レバー７が押込み方向に操作された場合と引出し方向に操作された場合とで係合部材５の移動幅が同一になる。そのため、操作レバー７を押し込んだ場合と引き込んだ場合とでロック解除のタイミングが一様になる。
【００２６】
この点に関し、操作レバー７を押し込んだ場合と引き込んだ場合とでロック解除のタイミングを異ならせることも可能であり、その事例を図９に示してある。
【００２７】
図９は他の実施形態に係るカードコネクタの作用説明図であり、図４で説明した状態に対応している。この事例では、第１カム面８１の左右２つの傾斜面８１ａ，８１ｂを被対称形状にし、第２カム面８７の左右２つの傾斜面８７ａ，８７ｂも被対称形状にしてある。したがって、上記した仮想直線Ｌに対する第１カム面８１の２つの傾斜面８１ａ，８１ｂの勾配θ１，θ２が異なっている。同様に、第２カム面８７の２つの傾斜面８７ａ，８７ｂの仮想直線Ｌに対する勾配θ３，θ４も異なっている。しかも、θ１とθ３が等しく、θ２とθ４が等しくなっている。
【００２８】
このものによっても、山形の第２カム面８７が谷形の第１カム面８１に嵌合し、ばね体５５の弾発付勢力で係合部材５が前方に付勢されていて、操作レバー７に操作力が加わっていない状態では、ばね体５５によって付勢されている第２カム面８７が第１カム面８１を押し付けて第２カム面８７の２つの傾斜面８７ａ，８７ｂが第１カム面８１の２つの傾斜面８１ａ，８１ｂに重なり合い、それによって操作レバー７が中立位置に保持される。
【００２９】
そして、カバー３が閉位置で位置決めされてロック状態になっているときに、操作レバー７が横に引き出されると、第１カム面８１の左側の傾斜面８１ａが第２カム面８７の左側の傾斜面８７ａとスライドしてカム体８８を前方へ押すので、そのカム体８８と共に係合部材５がばね体５５の付勢に抗して前方へ移動し、それに伴って突出部５１がカバー３側の孔部３３から離脱してロック状態が解除される。こうしてロック状態が解除されると、図１で説明した開閉用ばね１３の付勢によってカバー３が跳ね上がって開くので、そのカバー３に装着されているカードを抜き出して排出することができる。これとは逆に、把手１７を介して操作レバー７が横に押し込まれると、第１カム面８１の右側の傾斜面８１ｂが第２カム面８７の右側の傾斜面８７ｂとスライドしてカム体８８を前方へ押すので、上記と同様の動作が行われてロック状態が解除されることになり、開閉用ばね１３の付勢によってカバー３が開いてそのカバー３に装着されているカードを抜き出して排出することができるようになる。
【００３０】
特に、この実施形態では、上記した勾配θ１とθ２とを異ならせて第１カム面８１の左右２つの傾斜面８１ａ，８１ｂを非対称形状にし、かつ、上記した勾配θ３とθ４とを異ならせて第２カム面８７の左右２つの傾斜面８７ａ，８７ｂを非対称形状に形成し、操作レバー７の中立位置で互いに嵌合している第１カム面８１の２つの傾斜面８１ａ，８１ｂと第２カム面８７の２つの傾斜面８７ａ，８７ｂとの関係を互いに重なり合う関係に規定しているので、操作レバー７が押込み方向に操作された場合と引出し方向に操作された場合とで係合部材５の移動幅が異なる。そのため、操作レバー７を押し込んだ場合と引き込んだ場合とでロック解除のタイミングが異なるようになる。
【００３１】
以上のように、この発明では、カム機構の第１カム面８１や第２カム面８７の形状を対称形状にしたり、非対称形状にしたりすることによって、操作レバー７を押し込んだ場合や引き込んだ場合でのロック解除のタイミングが一様になったり異なったりする。そのため、第１カム面８１や第２カム面８７の形状を変更するだけで、ロック解除のタイミングについての仕様を、ユーザの好みや当該カードコネクタが組み付けられるセット機器の形状などに合わせやすくなるという利点がある。
【００３２】
また、上記した各実施形態では、当該カードコネクタの小形化によってレバー主部７１を備えた操作レバー７の小形化が図られ、しかも、谷形の第１カム面８１がそのような小形の操作レバー７のレバー主部７１に設けられているとしても、レバー主部７１の第１カム面形成箇所が板状梁部７２によって補強されるために、レバー主部７１が第１カム面８１の形成箇所で折損したり折れ曲がったりするおそれがなくなる。併せて、第１カム面８１の２つの傾斜面８１ａ，８１ｂを図例のように非連続に形成した場合でも、それら２つの傾斜面８１ａ，８１ｂをレバー主部７１の１箇所に形成することができて第１カム面８１の１部品化による部品のコンパクト化を達成しやすくなる。
【００３３】
【発明の効果】
以上のように、本発明に係るカードコネクタは、操作レバーを押込み方向に操作した場合でも引込み方向に操作した場合でも、カバーの閉位置でのロック状態を解除することができるという双方向操作性を備えているので、カバーの閉位置でのロック状態を解除するときの操作レバーの操作方向についての選択権がメーカ側にだけ存在するという従来の事態が改善され、ユーザが所望により操作レバーの押込み操作でロック解除するようにしたり、操作レバーの引出し操作でロック解除するようにしたりすることが可能になり、それだけ使い勝手が向上する。また、本願出願人による先行出願に係るカードコネクタに比べてその部品点数を増加させずに上記双方向操作性を備えたカードコネクタを提供することが可能になるので、カードコネクタに本願発明を適用することによって部品点数が増加してコスト高になるといった事態が起こらない。
【図面の簡単な説明】
【図１】本発明に係るカードコネクタの概略部分側面図である。
【図２】同カードコネクタのカバーの要部と係合部材とを示した分解斜視図である。
【図３】操作レバーの平面図である。
【図４】作用説明図である。
【図５】他の状態での作用説明図である。
【図６】図４のＶＩ−ＶＩ線に沿う部分の拡大断面図である。
【図７】カバーを閉動させている状態を一部破断して示した説明図である。
【図８】カバーが閉位置で位置決めされた状態を一部破断して示した説明図である。
【図９】他の実施形態に係るカードコネクタの作用説明図である。
【符号の説明】
１  ボディ
３  カバー
５  係合部材
７  操作レバー
８  カム機構
１２  横軸
３３  孔部（被係合部）
７１  レバー主部
７２  板状梁部
７３  凹所
８１  第１カム面
８１ａ，８１ｂ，８７ａ，８７ｂ  傾斜面
８７  第２カム面
θ１，θ２，θ３，θ４  勾配
Ｌ  仮想直線
【図１】
2004192841.tif 000003
【図２】
2004192841.tif 000004
【図３】
2004192841.tif 000005
【図４】
2004192841.tif 000006
【図５】
2004192841.tif 000007
【図６】
2004192841.tif 000008
【図７】
2004192841.tif 000009
【図８】
2004192841.tif 000010
【図９】
2004192841.tif 000011